(57)【要約】【課題】画像が形成された用紙を給紙台に積載するときに、給紙台に積載すべき用紙をユーザに的確に把握させることが可能な製本システムを提供する。【解決手段】製本システム１０Ａにおいて、Ａトレイ３６ＡおよびＢトレイ３６Ｂには、画像が形成された用紙が積載される。用紙加工装置１８、中綴じ折り装置２０、および小口断裁装置２２は、Ａトレイ３６ＡまたはＢトレイ３６Ｂから送り出された用紙に製本処理を施して冊子を作成する。ＰＣ１２の記憶部は、画像が形成された用紙の外観を示す用紙ビューの表示に用いられる用紙ビューデータを格納する。ＰＣ１２の表示制御部は、格納された用紙ビューデータを利用して、所定の冊子を作成する製本処理を実施するために、例えばＡトレイ３６Ａに積載されるべき用紙の用紙ビューを、その用紙がＡトレイ３６Ａに積載されるべきであることを示すようにディスプレイ１４に表示させる。【選択図】図１
2008195004.tif 000002
【特許請求の範囲】
【請求項１】
画像が形成された用紙が積載される少なくとも１つの給紙台と、
前記給紙台から送り出された用紙に製本処理を施して冊子を作成する製本手段と、
画像が形成された用紙の外観を示す用紙ビューの表示に用いられる用紙ビューデータを格納する記憶手段と、
用紙ビューが表示されるディスプレイと、
格納された用紙ビューデータを利用して、所定の冊子を作成する製本処理を実施するために前記給紙台に積載されるべき用紙の用紙ビューを、その用紙が前記給紙台に積載されるべきであることを示すよう前記ディスプレイに表示させる表示制御手段と、
を備えることを特徴とする製本システム。
【請求項２】
前記記憶手段は、所定の冊子の作成に必要とされる複数の用紙の各々の外観を示す用紙ビューの用紙ビューデータと、所定の冊子を作成する製本処理を実施するために前記給紙台に積載されるべき用紙の積載順を示す積載順データとを対応付けて格納し、
前記表示制御手段は、格納された用紙ビューデータおよび積載順データを利用して、所定の冊子を作成する製本処理を実施するために前記給紙台に積載されるべき用紙の用紙ビューを、その用紙の積載順に対応付けて前記ディスプレイに表示させることを特徴とする請求項１に記載の製本システム。
【請求項３】
ユーザーにより入力された前記給紙台への積載順を示す積載順データを取得する積載順取得手段をさらに備え、
前記表示制御手段は、積載順データが取得された場合、取得された積載順データに対応付けられた用紙ビューデータが表す用紙ビューを、取得された積載順に対応付けて前記ディスプレイに表示させることを特徴とする請求項２に記載の製本システム。
【請求項４】
前記記憶手段は、所定の冊子の作成に必要とされる複数の用紙の各々の用紙ビューの用紙ビューデータと、所定の冊子を作成する製本処理を実施するために前記給紙台に用紙が積載されるときの用紙の向きを示す用紙向きデータとを対応付けて格納し、
前記表示制御手段は、格納された用紙ビューデータおよび用紙向きデータを利用して、所定の冊子を作成する製本処理を実施するために前記給紙台に積載されるべき用紙の用紙ビューを、所定の冊子を作成する製本処理を実施するために前記給紙台に用紙が積載されるときの用紙の向きに向かせて前記ディスプレイに表示させることを特徴とする請求項１から３のいずれかに記載の製本システム。
【請求項５】
前記給紙台に積載された用紙を反転させて前記製本手段に送り出す用紙反転手段をさらに備え、
前記記憶手段は、所定の冊子の作成に必要とされる複数の用紙の各々について、両面の各々の面の用紙ビューデータと、その用紙の反転の要否を示す反転要否データとを対応付けて格納し、
前記表示制御手段は、格納された反転要否データを利用して、格納された用紙ビューデータを利用して、所定の冊子を作成する製本処理を実施するために前記給紙台に積載されるべき用紙の両面のうち、反転の要否に応じた面の用紙ビューを前記ディスプレイに表示させることを特徴とする請求項１から４のいずれかに記載の製本システム。
【請求項６】
ユーザーにより入力された、所定の冊子の作成に必要とされる複数の用紙のうちいずれかの用紙の反転の要否を示す反転要否データを取得する反転要否取得手段をさらに備え、
前記記憶手段は、ユーザにより反転の要否が入力された用紙の両面の各々の面の用紙ビューデータと、その用紙の反転の要否を示す反転要否データとを対応付けて格納することを特徴とする請求項５に記載の製本システム。
【請求項７】
前記給紙台は、第１給紙台および第２給紙台を含み、
前記表示制御手段は、格納された用紙ビューデータを利用して、所定の冊子を作成する製本処理を実施するために前記第１給紙台に積載されるべき用紙の用紙ビューを、その用紙が前記第１給紙台に積載されるべき用紙であることを示すよう前記ディスプレイに表示し、または所定の冊子を作成する製本処理を実施するために前記第２給紙台に積載されるべき用紙の用紙ビューを、その用紙が前記第２給紙台に積載されるべき用紙であることを示すよう前記ディスプレイに表示させることを特徴とする請求項１から６のいずれかに記載の製本システム。
【請求項８】
ユーザーにより入力された、第１給紙台および前記第２給紙台のいずれかの選択入力を取得する給紙台選択取得手段をさらに備え、
前記表示制御手段は、
ユーザによる第１給紙台の選択入力を取得した場合、前記第１給紙台に積載されるべき用紙の用紙ビューを、その用紙が前記第１給紙台に積載されるべきであることを示すよう前記ディスプレイに表示させ、
ユーザによる第２給紙台の選択入力を取得した場合、前記第２給紙台に積載されるべき用紙の用紙ビューを、その用紙が前記第２給紙台に積載されるべきであることを示すよう前記ディスプレイに表示させることを特徴とする請求項７に記載の製本システム。
【請求項９】
前記第１給紙台に積載された用紙に、製本処理に含まれる処理であって用紙に所定の加工する処理である用紙加工処理を施す用紙加工手段をさらに備え、
前記記憶手段は、所定の冊子の作成に必要とされる複数の用紙の各々について、用紙ビューの用紙ビューデータと、用紙への所定の加工の要否を示す加工要否データとを対応付けて格納し、
前記表示制御手段は、格納された加工要否データを利用して、所定の冊子の作成に必要とされる複数の用紙の各々について所定の加工の要否を判定し、所定の加工を要する用紙の用紙ビューを、前記第１給紙台に積載されるべき用紙の用紙ビューとして前記ディスプレイに表示し、所定の加工を要しない用紙の用紙ビューを、前記第２給紙台に積載されるべき用紙の用紙ビューとして前記ディスプレイに表示させることを特徴とする請求項７または８に記載の製本システム。
【請求項１０】
前記第１給紙台に積載された用紙に周縁部の切り落とし処理を施して前記製本手段に送り出す周縁切り落とし手段をさらに備え、
前記記憶手段は、所定の冊子の作成に必要とされる複数の用紙の各々について、用紙ビューの用紙ビューデータと、用紙のサイズを示す用紙サイズデータとを対応付けて格納し、
前記表示制御手段は、格納された用紙サイズデータを利用して、所定の冊子の作成に必要とされる複数の用紙の各々について周縁部の切り落とし処理の要否を判定し、周縁部の切り落とし処理を要する用紙の用紙ビューを、前記第１給紙台に積載されるべき用紙の用紙ビューとして前記ディスプレイに表示し、周縁部の切り落とし処理を要しない用紙の用紙ビューを、前記第２給紙台に積載されるべき用紙の用紙ビューとして前記ディスプレイに表示させることを特徴とする請求項７または８に記載の製本システム。
【請求項１１】
前記給紙台は、複数の給紙台を含み、
製本手段は、前記複数の給紙台の各々から１枚ずつ送り出され丁合された用紙束に製本処理を施して冊子を作成し、
前記表示制御手段は、格納された用紙ビューデータを利用して、所定の冊子を作成する製本処理を実施するために前記複数の給紙台に積載されるべき用紙のうち所定の給紙台に積載されるべき用紙の用紙ビューを、その用紙が所定の給紙台に積載されるべき用紙であることを示すよう前記ディスプレイに表示させることを特徴とする請求項１から４のいずれかに記載の製本システム。
【請求項１２】
ユーザーにより入力された、前記複数の給紙台のうちいずれかの給紙台の選択入力を取得する給紙台選択取得手段をさらに備え、
前記表示制御手段は、取得した給紙台の選択入力を利用してユーザにより選択されたトレイを特定し、ユーザにより選択された給紙台に積載されるべき用紙の用紙ビューを、ユーザにより選択された給紙台に積載されるべき用紙であることを示すように前記ディスプレイに表示させることを特徴とする請求項１１に記載の製本システム。
【請求項１３】
前記給紙台に積載された用紙のうち最上位の用紙を撮像する撮像手段と、
前記撮像手段により撮像された用紙の撮像データと、撮像時に前記給紙台において最上位に積載されているべき用紙の外観を示す用紙ビューデータとを比較することにより、前記給紙台に適切に用紙が積載されているか否かを判定する積載適否判定手段と、
前記給紙台に適切に用紙が積載されていない判定された場合に、ユーザにその旨を報知する報知手段と、
をさらに備えることを特徴とする請求項１から１２のいずれかに記載の製本システム。
【請求項１４】
前記記憶手段は、前記給紙台に積載される用紙のうち最上位に積載されるべき用紙の用紙ビューの表示に用いられる用紙ビューデータを格納し、
前記表示制御手段は、格納された用紙ビューデータを利用して、所定の冊子を作成する製本処理を実施するために前記給紙台に積載される用紙のうち最上位に積載されるべき用紙の用紙ビューを前記ディスプレイに表示させることを特徴とする請求項１に記載の製本システム。
【請求項１５】
前記記憶手段は、所定の冊子の作成に必要とされる複数の用紙の各々について、その両面の各々の面の外観を示す用紙ビューの表示に用いられる用紙ビューデータを格納し、
前記表示制御手段は、格納された用紙ビューデータを利用して、所定の冊子を作成する製本処理を実施するために前記給紙台に積載されるべき用紙の両面のうち、その用紙が前記給紙台に積載されたときに上方に向く面の用紙ビューを前記ディスプレイに表示させることを特徴とする請求項１から１４のいずれかに記載の製本システム。
【請求項１６】
画像が形成された用紙が積載される少なくとも１つの給紙台と、前記給紙台から送り出された用紙に製本処理を施して冊子を作成する製本手段と、画像が形成された用紙の外観を示す用紙ビューの表示に用いられる用紙ビューデータを格納する記憶手段と、用紙ビューが表示されるディスプレイと、を備える製本システムを制御する製本システム制御プログラムであって、
格納された用紙ビューデータを利用して、所定の冊子を作成する製本処理を実施するために前記給紙台に積載されるべき用紙の用紙ビューを、その用紙が前記給紙台に積載されるべきであることを示すよう前記ディスプレイに表示させる機能をコンピュータに実行させることを特徴とする製本システム制御プログラム。
【発明の詳細な説明】
【技術分野】
【０００１】
本発明は、製本システムの制御技術に関し、特に、給紙台から送り出された用紙が束ねられた用紙束を使って冊子を作成する製本システムの制御技術に関する。
【背景技術】
【０００２】
印刷や電子写真方式などの画像形成手法により画像が形成された用紙を、改めて給紙棚に積載して給送して製本処理を施す製本装置が知られている（例えば、特許文献１参照）。一方、後処理前に後処理後の記録紙状態を確認することを可能とすべく、後処理イメージデータとプレビュー表示に基づく印刷データとを合成した、記録紙の後処理後の完成予想イメージをプレビュー表示する画像形成装置が提案されている（例えば、特許文献２参照）。
【特許文献１】特開２００５−１４４７６６号公報
【特許文献２】特開２００３−２９６０９０号公報
【発明の開示】
【発明が解決しようとする課題】
【０００３】
画像が形成された用紙を給紙台にセットし、その給紙台から用紙を給送して後処理を行う場合、画像が形成された用紙をどのように給紙台にセットするかは、その後の適切な製本処理を実現するために極めて重要である。しかし、上述の特許文献に記載される技術では、給紙台へ画像が形成されたどの用紙をどのようにセットするかを製本処理の実施に先立って把握することは困難である。このため、現状では、製本作業者は完成品の冊子の状態を考慮しながら適切な給紙台に適切な用紙をセットしているかをチェックしなければならず、製本作業者は過大な監視負担を負わざるを得ない。
【０００４】
そこで、本発明は上述した課題を解決するためになされたものであり、その目的は、画像が形成された用紙を給紙台に積載するときに、給紙台に積載すべき用紙をユーザに的確に把握させることが可能な製本システムを提供することにある。
【課題を解決するための手段】
【０００５】
上記課題を解決するために、本発明のある態様の製本システムは、画像が形成された用紙が積載される少なくとも１つの給紙台と、給紙台から送り出された用紙に製本処理を施して冊子を作成する製本手段と、画像が形成された用紙の外観を示す用紙ビューの表示に用いられる用紙ビューデータを格納する記憶手段と、用紙ビューが表示されるディスプレイと、格納された用紙ビューデータを利用して、所定の冊子を作成する製本処理を実施するために給紙台に積載されるべき用紙の用紙ビューを、その用紙が給紙台に積載されるべきであることを示すようディスプレイに表示させる表示制御手段と、を備える。
【０００６】
この態様によれば、ユーザは、その用紙を給紙台に積載すべきことを容易に把握することができる。このため、給紙台に積載する用紙が適切なものかを確認するユーザの監視負担を軽減させることができる。
【０００７】
記憶手段は、所定の冊子の作成に必要とされる複数の用紙の各々の外観を示す用紙ビューの用紙ビューデータと、所定の冊子を作成する製本処理を実施するために給紙台に積載されるべき用紙の積載順を示す積載順データとを対応付けて格納し、表示制御手段は、格納された用紙ビューデータおよび積載順データを利用して、所定の冊子を作成する製本処理を実施するために給紙台に積載されるべき用紙の用紙ビューを、その用紙の積載順に対応付けてディスプレイに表示させてもよい。
【０００８】
この態様によれば、ユーザは、給紙台に積載すべき用紙の積載順を容易に把握することができる。このため、適切な積載順で給紙台に用紙が積載されているかを確認するときのユーザの監視負担を軽減させることができる。
【０００９】
本発明のある態様の製本システムは、ユーザーにより入力された給紙台への積載順を示す積載順データを取得する積載順取得手段をさらに備えてもよい。表示制御手段は、積載順データが取得された場合、取得された積載順データに対応付けられた用紙ビューデータが表す用紙ビューを、取得された積載順に対応付けてディスプレイに表示させてもよい。
【００１０】
この態様によれば、ユーザは自分が見たい積載順の用紙の用紙ビューをディスプレイに表示させることができる。このため、用紙の積載状態のユーザによる確認を容易なものとし、ユーザの監視負担をより軽減させることができる。
【００１１】
記憶手段は、所定の冊子の作成に必要とされる複数の用紙の各々の用紙ビューの用紙ビューデータと、所定の冊子を作成する製本処理を実施するために給紙台に用紙が積載されるときの用紙の向きを示す用紙向きデータとを対応付けて格納し、表示制御手段は、格納された用紙ビューデータおよび用紙向きデータを利用して、所定の冊子を作成する製本処理を実施するために給紙台に積載されるべき用紙の用紙ビューを、所定の冊子を作成する製本処理を実施するために給紙台に用紙が積載されるときの用紙の向きに向かせてディスプレイに表示させてもよい。
【００１２】
製本処理の内容によっては、給紙台に積載された用紙が適切な向きに向いていなければ、製本処理後の完成品として適切な冊子を得ることができない場合がある。この態様によれば、ユーザは給紙台に積載された用紙が適切な向きに向いているかを容易にチェックすることが可能となるため、ユーザの監視負担を軽減させることができる。
【００１３】
本発明のある態様の製本システムは、給紙台に積載された用紙を反転させて製本手段に送り出す用紙反転手段をさらに備えてもよい。記憶手段は、所定の冊子の作成に必要とされる複数の用紙の各々について、両面の各々の面の用紙ビューデータと、その用紙の反転の要否を示す反転要否データとを対応付けて格納し、表示制御手段は、格納された反転要否データを利用して、格納された用紙ビューデータを利用して、所定の冊子を作成する製本処理を実施するために給紙台に積載されるべき用紙の両面のうち、反転の要否に応じた面の用紙ビューをディスプレイに表示させてもよい。
【００１４】
用紙に画像を形成する画像形成装置の中には、ページ順に画像を形成し、そのまま反転させることなく画像形成された用紙を積載するものが存在する。このような画像形成装置で画像形成され積載された用紙をそのまま製本システムの給紙台にセットする場合、適切な冊子を作成するために、給紙台に積載されたされた用紙を一旦反転してその後の後処理工程に搬送する必要が生じる場合がある。この態様によれば、ディスプレイに表示された面が例えば上向きとなるよう給紙台に用紙が積載されているかを確認することにより、ユーザは用紙が適切に積載されているかを容易に確認することができる。
【００１５】
本発明のある態様の製本システムは、ユーザーにより入力された、所定の冊子の作成に必要とされる複数の用紙のうちいずれかの用紙の反転の要否を示す反転要否データを取得する反転要否取得手段をさらに備えてもよい。記憶手段は、ユーザにより反転の要否が入力された用紙の両面の各々の面の用紙ビューデータと、その用紙の反転の要否を示す反転要否データとを対応付けて格納してもよい。
【００１６】
この態様によれば、ユーザが自ら用紙の反転の要否を入力することができると共に、ディスプレイに表示された面が例えば上向きとなるよう給紙台に用紙が積載されているかを確認することにより、ユーザは用紙が適切に積載されているかを容易に確認することができる。
【００１７】
給紙台は、第１給紙台および第２給紙台を含んでもよい。表示制御手段は、格納された用紙ビューデータを利用して、所定の冊子を作成する製本処理を実施するために第１給紙台に積載されるべき用紙の用紙ビューを、その用紙が第１給紙台に積載されるべき用紙であることを示すようディスプレイに表示し、または所定の冊子を作成する製本処理を実施するために第２給紙台に積載されるべき用紙の用紙ビューを、その用紙が第２給紙台に積載されるべき用紙であることを示すようディスプレイに表示させてもよい。
【００１８】
この態様によれば、ユーザは、ディスプレイに表示された用紙ビューを見ることで、どの用紙を第１給紙台に積載べきか、どの用紙を第２給紙台に積載すべきかを容易に把握することができる。このため、適切な用紙を適切な給紙台にセットするためのユーザの監視負担を軽減させることができる。
【００１９】
本発明のある態様の製本システムは、ユーザーにより入力された、第１給紙台および第２給紙台のいずれかの選択入力を取得する給紙台選択取得手段をさらに備えてもよい。表示制御手段は、ユーザによる第１給紙台の選択入力を取得した場合、第１給紙台に積載されるべき用紙の用紙ビューを、その用紙が第１給紙台に積載されるべきであることを示すようディスプレイに表示させ、ユーザによる第２給紙台の選択入力を取得した場合、第２給紙台に積載されるべき用紙の用紙ビューを、その用紙が第２給紙台に積載されるべきであることを示すようディスプレイに表示させてもよい。
【００２０】
この態様によれば、ユーザは、第１給紙台に用紙を積載するときに第１給紙台を選択し、第２給紙台に用紙を積載するときに第２給紙台を選択することにより、これから用紙をセットする給紙台に積載すべき用紙の用紙ビューを表示させることができる。このため、適切な用紙を給紙台に積載するユーザの監視負担が、給紙台が複数あることにより増大することを抑制することができる。
【００２１】
第１給紙台に積載された用紙に、製本処理に含まれる処理であって用紙に所定の加工する処理である用紙加工処理を施す用紙加工手段をさらに備えてもよい。記憶手段は、所定の冊子の作成に必要とされる複数の用紙の各々について、用紙ビューの用紙ビューデータと、用紙への所定の加工の要否を示す加工要否データとを対応付けて格納し、表示制御手段は、格納された加工要否データを利用して、所定の冊子の作成に必要とされる複数の用紙の各々について所定の加工の要否を判定し、所定の加工を要する用紙の用紙ビューを、第１給紙台に積載されるべき用紙の用紙ビューとしてディスプレイに表示し、所定の加工を要しない用紙の用紙ビューを、第２給紙台に積載されるべき用紙の用紙ビューとしてディスプレイに表示させてもよい。
【００２２】
例えば、ある給紙台に積載された用紙には用紙加工処理を施すことが可能となっているが、他の給紙台に積載された用紙には用紙加工処理を施すことができない構造となっている製本システムが存在する。このような製本システムで製本処理を実施する場合、製用紙加工処理が必要な用紙は製用紙加工処理が可能となっている給紙台にセットする必要がある。この態様によれば、ユーザは、用紙加工処理の要否に応じて適切な給紙台に適切な用紙群を容易に載置することができる。
【００２３】
第１給紙台に積載された用紙に周縁部の切り落とし処理を施して製本手段に送り出す周縁切り落とし手段をさらに備えてもよい。記憶手段は、所定の冊子の作成に必要とされる複数の用紙の各々について、用紙ビューの用紙ビューデータと、用紙のサイズを示す用紙サイズデータとを対応付けて格納し、表示制御手段は、格納された用紙サイズデータを利用して、所定の冊子の作成に必要とされる複数の用紙の各々について周縁部の切り落とし処理の要否を判定し、周縁部の切り落とし処理を要する用紙の用紙ビューを、第１給紙台に積載されるべき用紙の用紙ビューとしてディスプレイに表示し、周縁部の切り落とし処理を要しない用紙の用紙ビューを、第２給紙台に積載されるべき用紙の用紙ビューとしてディスプレイに表示させてもよい。
【００２４】
たとえば、コピー機などで画像形成された用紙は周辺部に余白部分が生じる。このため、予め大きめの用紙を使って用紙に画像を形成し、製本処理時にこのような用紙の周縁部を切り落とす場合がある。このように用紙の周縁部を切り落とすことが可能な製本システムにおいて、例えば、ある給紙台に積載された用紙には周縁部の切り落とし処理を施すことが可能となっているが、他の給紙台に積載された用紙には周縁部の切り落とし処理を施すことができない構造となっている製本システムが存在する。このような製本システムで製本処理を実施する場合、周縁部の切り落とし処理が必要な用紙は周縁部の切り落とし処理が可能となっている給紙台に積載する必要がある。この態様によれば、ユーザは、このような場合においてもディスプレイに表示された通り給紙台に用紙を積載することにより、周縁部の切り落とし処理の要否に応じて適切な給紙台に適切な用紙を容易に載置することができる。
【００２５】
給紙台は、複数の給紙台を含んでもよい。製本手段は、複数の給紙台の各々から１枚ずつ送り出され丁合された用紙束に製本処理を施して冊子を作成し、表示制御手段は、格納された用紙ビューデータを利用して、所定の冊子を作成する製本処理を実施するために複数の給紙台に積載されるべき用紙のうち所定の給紙台に積載されるべき用紙の用紙ビューを、その用紙が所定の給紙台に積載されるべき用紙であることを示すようディスプレイに表示させてもよい。
【００２６】
製本システムには、複数の給紙台の各々から丁合した用紙束を使って製本するものがある。この態様によれば、ユーザは、これから用紙をセットする給紙台に積載すべき用紙を容易に確認することができる。このため、用紙を間違えないよう給紙台に用紙を積載するときのユーザの監視負担を軽減させることができる。
【００２７】
本発明のある態様の製本システムは、ユーザーにより入力された、複数の給紙台のうちいずれかの給紙台の選択入力を取得する給紙台選択取得手段をさらに備えてもよい。表示制御手段は、取得した給紙台の選択入力を利用してユーザにより選択されたトレイを特定し、ユーザにより選択された給紙台に積載されるべき用紙の用紙ビューを、ユーザにより選択された給紙台に積載されるべき用紙であることを示すようにディスプレイに表示させてもよい。
【００２８】
この態様によれば、ユーザは、これから用紙をセットする給紙台を選択することにより、その給紙台に積載すべき用紙の用紙ビューをディスプレイに表示させることができる。このため、適切な用紙を給紙台に積載するユーザの監視負担が、給紙台が複数あることにより増大することを抑制することができる。
【００２９】
給紙台に積載された用紙のうち最上位の用紙を撮像する撮像手段と、撮像手段により撮像された用紙の撮像データと、撮像時に給紙台において最上位に積載されているべき用紙の外観を示す用紙ビューデータとを比較することにより、給紙台に適切に用紙が積載されているか否かを判定する積載適否判定手段と、給紙台に適切に用紙が積載されていない判定された場合に、ユーザにその旨を報知する報知手段と、をさらに備えてもよい。
【００３０】
例えば、適切な用紙が給紙台に積載されていない、または適切な用紙が給紙台に積載されている場合であっても、ある用紙が用紙向きや表裏が逆に積載されているなどの事態が生じることも考えられる。この態様によれば、このように給紙台に適切に用紙が積載されていないことをユーザに迅速に知らせることができる。このため、製本システムによって適切でない冊子が作成されることを抑制することができる。
【００３１】
記憶手段は、給紙台に積載される用紙のうち最上位に積載されるべき用紙の用紙ビューの表示に用いられる用紙ビューデータを格納し、表示制御手段は、格納された用紙ビューデータを利用して、所定の冊子を作成する製本処理を実施するために給紙台に積載される用紙のうち最上位に積載されるべき用紙の用紙ビューをディスプレイに表示させてもよい。
【００３２】
この態様によれば、ユーザは、最上位に積載される用紙を確認することで、給紙台にセットすべき用紙を容易に特定することができる。このため、用紙を間違えないよう給紙台に用紙をセットするユーザの監視負担をより軽減させることができる。
【００３３】
記憶手段は、所定の冊子の作成に必要とされる複数の用紙の各々について、その両面の各々の面の外観を示す用紙ビューの表示に用いられる用紙ビューデータを格納し、表示制御手段は、格納された用紙ビューデータを利用して、所定の冊子を作成する製本処理を実施するために給紙台に積載されるべき用紙の両面のうち、その用紙が給紙台に積載されたときに上方に向く面の用紙ビューをディスプレイに表示させてもよい。
【００３４】
ユーザは、給紙台に積載された用紙を見るときは、下方に向く面よりも上方に向く面の方が見やすいと考えられる。この態様によれば、給紙台に積載されるべき用紙の上方に向く面の用紙ビューをディスプレイに表示させることができるため、ユーザは容易に給紙台に積載する用紙が適切なものかを確認することができる。
【発明の効果】
【００３５】
本発明に係る製本システムによれば、画像が形成された用紙を給紙台に積載するときに、給紙台に積載すべき用紙をユーザに的確に把握させることができる。
【発明を実施するための最良の形態】
【００３６】
以下、図面を参照して本発明の実施の形態（以下、実施形態という）について詳細に説明する。
【００３７】
（第１の実施形態）
図１は、第１の実施形態に係る製本管理システム１００Ａの模式的な全体構成図である。製本管理システム１００Ａは、製本システム１０Ａおよび中央管理サーバ８０などを有する。製本システム１０Ａは、ＰＣ１２、ディスプレイ１４、給紙装置１６、用紙加工装置１８、中綴じ折り装置２０、小口断裁装置２２、および綴じ折りスタッカ２４を有する。このうち、用紙加工装置１８、中綴じ折り装置２０、小口断裁装置２２は、用紙に対し製本処理である切り落とし処理、折り目付け処理、綴じ処理、折り処理、小口断裁処理を施す製本手段として機能する。
【００３８】
給紙装置１６は、Ａトレイ３６Ａ、Ｂトレイ３６Ｂ、分離給送機構４０、ＣＣＤセンサ４２、およびスイッチバック反転機構４４を有する。Ａトレイ３６Ａは、Ｂトレイ３６Ｂによりも上方に設けられ、積載可能な用紙枚数はＢトレイ３６Ｂよりも多く設定されている。Ａトレイ３６ＡおよびＢトレイ３６Ｂは、モータ（図示せず）を作動させることにより各々が昇降可能に設けられている。以下、Ａトレイ３６ＡおよびＢトレイ３６Ｂを、必要に応じて「トレイ」と総称する。
【００３９】
Ａトレイ３６ＡおよびＢトレイ３６Ｂの各々には、印刷、電子写真方式、インクジェット方式などによる画像形成方法によって画像が形成された用紙が積載される。このため、Ａトレイ３６ＡおよびＢトレイ３６Ｂには、画像が形成された用紙が複数重なり合った状態の用紙群が、製本作業者の手によってセットされる。Ａトレイ３６Ａには、通常は表紙以外の冊子の中身の部分である本身を構成する用紙が積載され、Ｂトレイ３６Ｂには通常は表紙が積載されるが、Ａトレイ３６ＡおよびＢトレイ３６Ｂに積載される用紙がこれらに限られないことは勿論である。
【００４０】
分離給送機構４０およびＣＣＤセンサ４２は、Ａトレイ３６ＡおよびＢトレイ３６Ｂの各々に対応して設けられる。分離給送機構４０は、Ａトレイ３６ＡまたはＢトレイ３６Ｂに積載された用紙のうち最上位の用紙を分離して送り出す。第１の実施形態に係る分離給送機構４０は、エア吸引式のものが採用されている。エア吸引式の分離給送機構は公知であるため、分離給送機構４０の詳細な説明は省略する。
【００４１】
ＣＣＤセンサ４２は、Ａトレイ３６ＡまたはＢトレイ３６Ｂにセットされた用紙群のうち最上位の用紙の上面を撮像する。スイッチバック反転機構４４は、ソレノイドのオン・オフを切り換えることにより搬送された用紙をスイッチバック反転機構４４に搬入し、搬入方向と逆方向にその用紙を搬出することにより、用紙を反転させて搬送方向下流側（以下、単に「下流側」という）へと送り出す。第１の実施形態では、Ａトレイ３６Ａから送り出される用紙の搬送経路にのみスイッチバック反転機構４４が設けられている。Ａトレイ３６ＡまたはＢトレイ３６Ｂから送り出された紙は、給紙装置１６内の用紙搬送路を通過して用紙加工装置１８に送り出される。
【００４２】
給紙装置１６は、内部に給紙制御部２８を有する。給紙制御部２８は、各種の演算を実行するＣＰＵ、各種の制御プログラムを格納するＲＯＭ、およびデータ格納やプログラム実行のためのワークエリアとして利用されるＲＡＭを有する。給紙制御部２８は、Ａトレイ３６ＡおよびＢトレイ３６Ｂの各々の昇降、分離給送機構４０による用紙の送り出し、ＣＣＤセンサ４２による撮像、およびスイッチバック反転機構４４による用紙の反転をそれぞれ制御する。
【００４３】
用紙加工装置１８は、給紙装置１６から送り込まれた用紙に、周縁部の切り落とし処理および折り目付け処理を含む用紙加工処理を施す。用紙加工装置１８は、周縁部切り落とし機構４６および折り目付け機構５２を有する。
【００４４】
たとえば、コピー機などで画像形成された用紙は周辺部に余白部分が生じる。このため、予め大きめの用紙を使って用紙に画像を形成し、製本処理時にこのような用紙の周縁部を切り落とす場合がある。周縁部切り落とし機構４６は、送り込まれた用紙の周縁部を切り落とすことにより、このような余白の部分を用紙から削除し、見栄えのよい冊子の作成を実現する。
【００４５】
周縁部切り落とし機構４６は、位置決めガイド４７、両端切り落としスリッタ４８、および前後端切り落としカッター５０を有する。位置決めガイド４７は、各々が装置前後方向に一つずつ配置されるよう一対設けられ、メイン搬送路４５に搬送された用紙の搬送方向と平行な両側端と当接し、用紙の搬送方向と垂直な方向への移動を規制する。一対の位置決めガイド４７の各々は、モータ（図示せず）を作動させて用紙搬送方向と垂直な方向にそれぞれ移動させることが可能となっている。
【００４６】
両端切り落としスリッタ４８は、各々が装置前後方向に一つずつ配置されるよう一対設けられる。一対の両端切り落としスリッタ４８の各々は、外周に刃が形成された一対の円盤状のカッターにより構成される。両端切り落としスリッタ４８は、位置決めガイド４７により両側端が規制された状態で、メイン搬送路４５に搬送された用紙の両側端部を用紙の搬送方向と平行な直線で切り落とす。一対の両端切り落としスリッタ４８の各々は、モータ（図示せず）を作動させて用紙搬送方向と垂直な方向にそれぞれ移動させることが可能となっている。
【００４７】
前後端切り落としカッター５０は両端切り落としスリッタ４８の下流側に設けられる。前後端切り落としカッター５０は、メイン搬送路４５の上方および下方にそれぞれ１つずつ配置されるよう一対設けられ、モータ（図示せず）が作動してメイン搬送路４５上方のカッターが下降し、メイン搬送路４５下方のカッターが上昇することにより、メイン搬送路４５に搬送された用紙の前端部および後端部を、用紙搬送方向と垂直な直線で切り落とす。このように周縁部切り落とし機構４６は、両端切り落としスリッタ４８および前後端切り落としカッター５０により用紙の周縁部を切り落とす。
【００４８】
折り目付け機構５２は、メイン搬送路４５上方に設けられた折り目付け部材を有する。モータ（図示せず）が作動してこの折り目付け部材が下降し、用紙を押圧することにより、メイン搬送路４５に搬送された用紙の中央に、用紙搬送方向と垂直な直線の折り目を付する。
【００４９】
用紙加工装置１８は、内部に用紙加工制御部３０を有する。用紙加工制御部３０は、ＣＰＵ、ＲＯＭ、およびＲＡＭを有し、用紙加工装置１８に設けられた様々なモータなどのアクチュエータの作動を制御して、位置決めガイド４７による規制位置、両端切り落としスリッタ４８による用紙の両側端部の切り落とし、前後端切り落としカッター５０による用紙の前後端部の切り落とし、および折り目付け機構５２による用紙への折り目付けなどを制御する。
【００５０】
また、用紙加工装置１８には、用紙周縁部の切り落とし処理や折り目付け処理が行われないバイパス搬送路５３が形成されている。第１の実施形態では、給紙装置１６においてＡトレイ３６Ａにセットされた用紙群から給紙された用紙は、用紙加工装置１８ではバイパス搬送路５３を通って中綴じ折り装置２０に送り出される。また、給紙装置１６においてＢトレイ３６Ｂにセットされた用紙群から給紙された用紙は、用紙加工装置１８ではメイン搬送路４５を通って中綴じ折り装置２０に送り出される。しかし、用紙加工装置１８がこのような態様に限られず、例えばＡトレイ３６ＡおよびＢトレイ３６Ｂのいずれにセットされた用紙群から給紙された用紙であっても、用紙加工処理が必要な用紙はメイン搬送路４５に搬送し、必要ない用紙はバイパス搬送路５３に搬送してもよいことは勿論である。
【００５１】
中綴じ折り装置２０は、用紙加工装置１８から送り込まれた用紙に中綴じ折り処理を施す。中綴じ折り装置２０は、綴じ機構５７、折り機構５９、折り無しスタッカ６８を有する。
【００５２】
綴じ機構５７は、揃えガイド５４、ステッチャ５６、および綴じストッパ５８を有する。揃えガイド５４は、メイン搬送路５５に搬送された用紙の両側端に当接し、用紙搬送方向と垂直方向への用紙の移動を規制する。綴じストッパ５８は、メイン搬送路４５に搬送された用紙の先端に当接して、用紙搬送方向の用紙の位置決めを行う。綴じストッパ５８は、ソレノイドをオン・オフすることによりメイン搬送路５５に進退可能とされている。綴じストッパ５８は、所定枚数の用紙が重なり合った用紙束が形成されるまでメイン搬送路５５に突出させられる。所定枚数の用紙が綴じストッパ５８によって係止され重なり合うと、ステッチャ５６は、揃えガイド５４および綴じストッパ５８によって位置決めされた用紙束に対して綴じ処理を施す。
【００５３】
折り機構５９は、綴じ機構５７の下流側に設けられており、綴じ機構５７によって綴じ処理が実施された用紙束に、綴じた箇所で用紙束を折りたたむ折り処理を実施する。折り機構５９は、一対の折りローラ６０、折りナイフ６１、搬送ローラ６２、折りストッパ６６を有する。
【００５４】
綴じ機構５７にて綴じ処理が実施されると、綴じストッパ５８が下方に退避し、綴じられた用紙束が折り機構５９に送り込まれ、折りストッパ６６に当接したところで用紙搬送方向の位置決めがされる。メイン搬送路５５の上方には一対の折りローラ６０が、軸方向が用紙搬送方向と垂直な方向に向くよう、用紙搬送方向に並設されている。折りナイフ６１は、モータ（図示せず）が作動することにより一対の折りローラ６０の間とメイン搬送路５５の下方とを上昇および下降することが可能となっている。折りストッパ６６により用紙束が用紙搬送方向の位置決めがされた状態で折りナイフ６１を上昇させることにより、用紙束が一対の折りローラ６０の間に巻き込まれる。一対の折りローラ６０は、強い力で用紙束を挟持しながら用紙束を上方に搬送するよう回転することにより、用紙束に折り目を付ける。一対の折りローラ６０によって折り目が付けられた綴じ折り冊子は、搬送ローラ６２によってさらに上方に搬送され、綴じ折り冊子搬送路６５を通って排出ローラ６４により小口断裁装置２２へ送り出される。
【００５５】
中綴じ折り装置２０は、内部に中綴じ折り制御部３２を有する。中綴じ折り制御部３２は、ＣＰＵ、ＲＯＭ、およびＲＡＭを有し、中綴じ折り装置２０に設けられた様々なモータやソレノイドなどのアクチュエータの作動を制御して、綴じ機構５７による綴じ処理、および折り機構５９による折り処理を制御する。
【００５６】
なお、折りストッパ６６は、ソレノイドをオン・オフすることによりメイン搬送路５５に進退可能となっている。中綴じ折り装置２０において綴じ処理および折り処理が施されない場合、綴じストッパ５８および折りストッパ６６はメイン搬送路５５から退避した状態となり、用紙加工装置１８から搬送された用紙は、折りストッパ６６の下流に設けられた折り無しスタッカ６８に積載される。
【００５７】
小口断裁装置２２は、中綴じ折り装置２０から送り込まれた綴じ折り冊子の小口を断裁して、最終的な冊子を作成する。小口断裁装置２２は、小口裁断刃７０、用紙押さえ部７２、および小口断裁ストッパ７４を有する。
【００５８】
小口断裁ストッパ７４は、ソレノイド（図示せず）をオン・オフすることにより、用紙搬送路７５に進退可能とされている。綴じ折り冊子の小口を断裁する場合、小口断裁装置２２は、綴じ折り冊子が送り込まれるタイミングで小口断裁ストッパ７４を用紙搬送路７５に突出させておく。これにより、小口断裁装置２２に送り込まれた綴じ折り冊子は先端が小口断裁ストッパ７４に当接して用紙搬送方向の位置決めがなされる。
【００５９】
用紙押さえ部７２は小口断裁ストッパ７４より用紙搬送方向上流側（以下、単に「上流側」という）の用紙搬送路７５上方に配置され、モータ（図示せず）が作動することにより下降して用紙搬送路７５にある綴じ折り冊子を押さえつけて固定する。小口裁断刃７０は用紙押さえ部７２のさらに上流の用紙搬送路７５上方に配置され、モータ（図示せず）が作動することにより下降する。小口断裁ストッパ７４により用紙搬送方向の位置決めがされた状態で、用紙押さえ部７２が綴じ折り冊子を押さえつけ、小口裁断刃７０がその綴じ折り冊子の小口を断裁して最終的な冊子を作成する。作成された冊子は綴じ折りスタッカ２４に送り出され、綴じ折りスタッカ２４上に蓄えられる。
【００６０】
小口断裁装置２２は、内部に小口断裁制御部３４を有する。小口断裁制御部３４は、ＣＰＵ、ＲＯＭ、およびＲＡＭを有し、小口断裁装置２２に設けられた様々なモータやソレノイドなどのアクチュエータの作動を制御して、小口断裁装置２２における小口断裁処理を制御する。
【００６１】
ＰＣ１２は、インターネットなどのネットワーク１５を介して中央管理サーバ８０に接続されている。メイン制御部２６は、給紙装置１６、用紙加工装置１８、中綴じ折り装置２０、および小口断裁装置２２のいずれかの内部に配置されている。ＰＣ１２はメイン制御部２６に接続されている。メイン制御部２６は、給紙制御部２８、用紙加工制御部３０、中綴じ折り制御部３２、および小口断裁制御部３４の各々に接続されている。
【００６２】
図２は、第１の実施形態に係る製本管理システム１００Ａの機能ブロック図である。ＰＣ１２、および中央管理サーバ８０には、ＯＳ（Operation System）、および製本管理システム１００Ａの動作を制御する製本管理ソフトウェアがインストールされている。図２においてＰＣ１２および中央管理サーバ８０の各々は、ＣＰＵ、ＲＯＭ、およびＲＡＭなどのハードウェア、およびこれらのソフトウェアの連携によって実現される機能ブロックが描かれている。したがって、これらの機能ブロックはハードウェアおよびソフトウェアの組合せによって様々な形で実現することができる。
【００６３】
近年、画像形成された用紙の外観を示す用紙ビューの表示に用いられる用紙ビューデータと、画像形成された用紙に対しどのような後処理を施すかを示すデータとを含むジョブデータを、編集、印刷、および製本の各現場で共有できるようフォーマットを標準化する活動が行われている。各現場は、このように標準化されたジョブデータを利用することにより効率的に作業を行うことが可能となる。第１の実施形態に係る製本管理システム１００Ａは、このうち製本現場である製本システム１０Ａの構成を示している。
【００６４】
中央管理サーバ８０は、送信部８４、受信部８６、表示制御部８８、および記憶部９０を有する。送信部８４は、ネットワーク１５を介してデータを外部に送信し、受信部８６はネットワーク１５を介して送信されたデータを受信する。表示制御部８８は、ディスプレイ８２に表示させる表示内容を制御する。記憶部９０は、ジョブデータなどのデータを格納する。
【００６５】
ジョブデータは、用紙ビューデータ、製本数データ、用紙枚数データ、切り落とし要否データ、切り落としサイズデータ、折り目付け要否データ、折り目付け位置データ、綴じ要否データ、綴じ位置データ、折り要否データ、折り位置データ、小口断裁要否データ、および小口断裁位置データなどの後処理に関するデータを含む。このうち、切り落とし要否データ、切り落としサイズデータ、折り目付け要否データは、用紙への加工の要否を示す加工要否データとして利用される。
【００６６】
一つのジョブデータには、１冊の冊子の作成に必要とされる複数の用紙の各々について、１冊の冊子を作成すべく複数の用紙が重ね合わされたときに、表紙が向く方向と同じ方向の用紙面（以下、「表面」という）の外観を示す用紙ビューの用紙ビューデータと、その裏側の用紙面（以下、「裏面」という）の外観を示す用紙ビューの用紙ビューデータが含められている。これら複数の用紙ビューデータの各々は、１冊の冊子を作成すべくその用紙ビューデータに対応する用紙を含む複数の用紙が重ね合わされたときの、その用紙の表紙からの順番である重ね順を示す重ね順データが対応付けられている。また、これら複数の用紙ビューデータの各々は、１冊の冊子を作成すべくその用紙ビューデータに対応する用紙を含む複数の用紙が重ね合わされたときのその用紙の向きを示す用紙向きデータが対応付けられている。また、これら複数の用紙ビューデータの各々は、１冊の冊子を作成すべくその用紙ビューデータに対応する用紙を含む複数の用紙が重ね合わされたときに、その用紙の表面の示すものか裏面を示すものかを表す表裏データが対応付けられている。
【００６７】
なお、例えば製本数データは、作成する冊子の数を示し、用紙枚数データは、１冊の冊子を作成するために必要とされる、画像形成された用紙の枚数を示す。また、切り落とし要否データは、「切り落とししない」、「１枚目のみ切り落としする」、「１枚目と最後のみ切り落としする」、「すべて切り落としする」のいずれかを示すデータを含む。
【００６８】
ＰＣ１２は、送信部１０２、受信部１０４、製本処理実行部１０６、ジョブ管理部１０８、後処理情報取得部１１０、積載適否判定部１１２、積載トレイ判定部１１４、表示制御部１１６、および記憶部１１８を有する。送信部１０２はネットワーク１５を介してデータを外部に送信し、受信部１０４はネットワーク１５を介して送信されたデータを受信する。
【００６９】
製本処理実行部１０６は、製本処理の開始や終了を示す信号をメイン制御部２６に送信することにより、製本システム１０Ａによる製本処理を制御する。ジョブ管理部１０８は、現在実行している製本処理の進行状況や、これから行うことになっている製本処理のジョブデータを管理する。後処理情報取得部１１０は、ジョブデータに含まれる前述の後処理に関するデータを取得し、給紙制御部２８、用紙加工制御部３０、中綴じ折り制御部３２、および小口断裁制御部３４の各々に、後処理に関するデータのうち適切なデータを出力する。
【００７０】
積載適否判定部１１２は、ＣＣＤセンサ４２によって撮像された撮像データを利用して、Ａトレイ３６ＡまたはＢトレイ３６Ｂにセットされた用紙群が適切なものか、および用紙群に含まれる用紙が適切に積載されたものかを判定する。
【００７１】
積載トレイ判定部１１４は、ジョブデータに含まれる切り落とし要否データを利用して、１冊の冊子を作成するために必要な複数の用紙の各々について、Ａトレイ３６Ａに積載されるべきかＢトレイ３６Ｂに積載されるべきかを判定する。積載トレイ判定部１１４は、この判定結果を、Ａトレイ３６Ａに積載されるべきかＢトレイ３６Ｂに積載されるべきかを示すセットトレイデータとして、１冊の冊子を作成するために必要な複数の用紙の各々の用紙ビューデータに対応付けて記憶部１１８に格納する。例えば３枚の用紙を重ね合わせて中綴じ折り処理を施して１冊の冊子を作成する場合であって、切り落とし要否データが「１枚目のみ切り落とし処理を実施する」ことを示すデータである場合、積載トレイ判定部１１４は、重ね順が「１」の用紙の用紙ビューデータと、Ｂトレイ３６Ｂを示すセットトレイデータとを対応付けて記憶部１１８に格納し、また、重ね順が「２」および「３」の用紙の用紙ビューデータの各々と、Ａトレイ３６Ａを示すセットトレイデータとを対応付けて記憶部１１８に格納する。
【００７２】
また、積載トレイ判定部１１４は、ジョブデータに含まれる切り落とし要否データを利用して、１冊の冊子を作成する製本処理を実施するためにＡトレイ３６ＡまたはＢトレイ３６Ｂにセットすべき複数の用紙の各々の積載順を特定する。積載トレイ判定部１１４は、特定した積載順を積載順データとして、 １冊の冊子を作成するために必要な複数の用紙の各々の用紙ビューデータに対応付けて記憶部１１８に格納する。例えば上述の例では、重ね順が「１」の用紙のみがＢトレイ３６Ｂに積載されるため、積載トレイ判定部１１４は、重ね順が「１」の用紙の用紙ビューデータと積載順が「１」の積載順データとを対応付けて記憶部１１８に格納する。
【００７３】
また、折り機構５９の構造上から、折り処理を施す場合は重ね順と逆に給紙制御部２８から用紙を送り出さなければならないことから、Ａトレイ３６ＡおよびＢトレイ３６Ｂには、用紙が重ね順と逆に積載されている必要がある。このため、この例では、Ｂトレイ３６Ｂには、重ね順が「３」の用紙が最上位となり、その下に重ね順が「２」の用紙が位置するよう積載される必要がある。したがって、積載トレイ判定部１１４は、重ね順が「３」の用紙ビューデータと、積載順が「１」の積載順データとを対応付けて記憶部１１８に格納する。また、積載トレイ判定部１１４は、重ね順が「２」の用紙ビューデータと、積載順が「２」の積載順データとを対応付けて記憶部１１８に格納する。
【００７４】
表示制御部１１６は、ディスプレイ１４に表示する表示内容を制御する。記憶部１１８は、中央管理サーバ８０から受信したジョブデータなどのデータを格納する。
【００７５】
図３は、第１の実施形態に係る製本管理システム１００Ａにおける製本工程を示すフローチャートである。中央管理サーバ８０を管理する製本管理者は、中央管理サーバ８０から製本システム１０ＡのＰＣ１２に、製本システム１０Ａで実施すべき製本処理のジョブデータを送信する（Ｓ１０）。ＰＣ１２の受信部１０４は中央管理サーバ８０から送信されたジョブデータを受信し、記憶部１１８は、受信したジョブデータを格納する（Ｓ１２）。
【００７６】
ジョブ管理部１０８は、中央管理サーバ８０から送信されたジョブデータに含まれる製本数データ、用紙枚数データ、および各後処理工程の要否を示すデータなどを利用して、そのジョブデータによる製本処理にかかる時間を算出する。また、ジョブ管理部１０８は、そのジョブデータによる製本処理より前に予定されている製本処理にかかる時間を、各々の製本処理のジョブデータを利用して同様に算出する。ジョブ管理部１０８は、算出したこれらの時間を合計して、送信されたジョブデータによる製本処理が終了するまでの時間を算出する。
【００７７】
ジョブ管理部１０８は、送信されたジョブデータによる製本処理が終了するまでの処理終了予想時間を算出すると、送信部１０２を使って中央管理サーバ８０にその時間を表す処理終了予想時間データを送信する。中央管理サーバ８０の受信部８６は送信された処理終了時間データを受信し、記憶部９０は受信した処理終了予想時間データを格納する。なお、処理終了予想時間が所定の値を超える場合、ジョブ管理部１０８は、送信部１０２を使って製本処理を実施することができない旨を示す実施不可データを中央管理サーバ８０に送信する。
【００７８】
表示制御部８８は、受信した処理終了予想時間データを利用して、例えば「このジョブデータの製本処理が終了するまでにあと約○○分かかります」または「このジョブデータの製本処理の終了は○時○分ごろになります」などのメッセージをディスプレイ１４に表示させる。また、表示制御部８８は、実施不可データを受信した場合、「この製本システムではこれ以上製本処理を実施することができません。」といったメッセージをディスプレイ１４に表示させる。
【００７９】
中央管理サーバ８０は製本システム１０Ａを含め複数の製本システムに接続されている。製本管理者は、ディスプレイ１４に表示されたこのようなメッセージを確認し、他の製本システムの納期と比較しながら、例えば納期の遅い製本システムに送信したジョブデータによる製本処理をキャンセルするデータをその製本システムに送信することにより、その製本システムによる製本処理をキャンセルする。こうして製本管理者は、製本処理を実施する製本システムを選択することができる。
【００８０】
基本画面１４８においてユーザによりトレイタブ１５８がクリックされると、表示制御部１１６は、Ａトレイ３６ＡおよびＢトレイ３６Ｂの各々に積載すべき用紙の用紙ビューを表示する（Ｓ１４）。ここで、図４から図６に関連して、用紙ビューの表示態様について詳細に説明する。
【００８１】
図４は、ディスプレイ１４に用紙ビューを表示させた状態を示す図である。製本システム１０Ａの電源をオンにすると、表示制御部１１６は、ディスプレイ１４に基本画面１４８を表示させる。
【００８２】
基本画面１４８は、スタートボタン１８２、ストップボタン１８４、処理数カウンタ１８６、およびクリアボタン１８８を有する。スタートボタン１８２がマウスでクリックされると、製本処理実行部１０６は、実施する製本処理のジョブデータと共に製本処理の開始を指示するデータをメイン制御部２６に出力する。これにより製本システム１０Ａは、ジョブデータを使って製本処理を開始する。ストップボタン１８４がマウスでクリックされると、製本処理実行部１０６は、製本処理の停止を指示するデータをメイン制御部２６に出力し、製本システム１０Ａは実施中の製本処理を停止する。
【００８３】
処理数カウンタ１８６には、作成した冊子の数が表示される。ユーザによってクリアボタン１８８が押されると、処理数カウンタ１８６に表示されていた数字がリセットされ、ゼロが表示される。
【００８４】
また、基本画面１４８は、ジョブマネージャタブ１５６、トレイタブ１５８、用紙加工タブ１６０、中綴じ折りタブ１６２、小口断裁タブ１６４、およびブックレットタブ１６６を有している。
【００８５】
ジョブマネージャタブ１５６がマウスでクリックされると、表示制御部１１６はジョブマネージャ画面を表示させる。ジョブマネージャ画面には、現在実施している製本処理のジョブデータ、今後実施する予定の製本処理のジョブデータ、および過去に実施した製本処理のジョブデータが表示される。
【００８６】
トレイタブ１５８がマウスでクリックされると、表示制御部１１６はトレイ画面を表示させる。トレイ画面には、少なくとも１冊の冊子を作成する製本処理を実施するためにＡトレイ３６ＡまたはＢトレイ３６Ｂにセットすべき用紙群に含まれる用紙の用紙ビューが、その用紙がＡトレイ３６ＡまたはＢトレイ３６Ｂのどちらにセットすべき用紙群に含まれる用紙であることを示すよう表示される。トレイ画面の詳細な構成については後述する。
【００８７】
用紙加工タブ１６０がマウスでクリックされると、表示制御部１１６は用紙加工画面を表示させる。詳細を図示しないが、表示制御部１１６は、ジョブデータに含まれる切り落とし要否データ、切り落としサイズデータ、折り目付け要否データ、および折り目付け位置データを利用して、切り落とし処理を実施する場合には切り落とし箇所を、折り目付け処理を実施する場合には折り目付けする位置を、それぞれ用紙ビューに重ねるようにして用紙加工画面を表示させる。
【００８８】
中綴じ折りタブ１６２がマウスでクリックされると、表示制御部１１６は中綴じ折り画面を表示させる。詳細を図示しないが、表示制御部１１６は、ジョブデータに含まれる綴じ要否データ、綴じ位置データ、折り要否データ、および折り位置データを利用して、綴じ処理を実施する場合には綴じる位置を、折り処理を実施する場合には折り目となる位置を、それぞれ用紙ビューに重ねるようにして用紙加工画面を表示させる。
【００８９】
小口断裁タブ１６４がマウスでクリックされると、表示制御部１１６は小口断裁画面を表示させる。詳細を図示しないが、表示制御部１１６は、ジョブデータに含まれる小口断裁要否データおよび小口断裁位置データを利用して、小口断裁処理を実施する場合には小口の断裁箇所を、用紙ビューに重ねるようにして用紙加工画面を表示させる。
【００９０】
ブックレットタブ１６６がマウスでクリックされると、表示制御部１１６はブックレット画面を表示させる。表示制御部１１６は、ジョブデータに含まれる様々な情報を利用して、製本処理が施された後の予想外観図である完成品プレビューを表示する。ブックレット画面の詳細な構成については後述する。
【００９１】
このように表示制御部１１６は、中央管理サーバ８０から送信されたジョブデータに含まれる多くのデータを利用して、ジョブマネージャ画面、トレイ画面、用紙加工画面、中綴じ折り画面、小口断裁画面、およびブックレット画面の各々をディスプレイ１４に表示させる。これによって、製本作業者は製本処理の各工程において適切な処理を実施することができるかを、ジョブデータを利用して製本処理に先立ってチェックすることができる。このため、製本処理を実施する直後から品質の高い冊子を製本することが可能となる。
【００９２】
図４は、これらの画面のうち、ユーザによりトレイタブ１５８が選択され、トレイ画面１５０が表示された状態を示している。トレイ画面１５０は、用紙ビュー表示欄１５２、プロセスモード選択ボタン１６８、用紙搬送トレイ選択ボタン１７０、用紙ビュー表示トレイ選択ボタン１７２、反転指示チェックボックス１７４、用紙検知セットボタン１７６、積載順表示欄１７８、および積載順選択ボタン１８０を有する。
【００９３】
用紙ビュー表示欄１５２には用紙ビュー１５４が表示される。用紙ビュー表示欄１５２には縦方向および横方向に目盛りが表示される。これにより、ユーザは用紙サイズを確認することができる。
【００９４】
プロセスモード選択ボタン１６８は、ユーザによってマウスを使ってクリックされることにより、中綴じ折り処理を施すか否かの選択入力がされる。図４では、中綴じ折り処理が施される通常モードが選択されていることを示す「Ｎｏｒｍａｌ」の文字が表示されている。なお、プロセスモード選択ボタン１６８が押されることによりプルダウンメニューが表示され、ユーザは表示されたプルダウンメニューの中からプロセスモードを選択することが可能となっている。
【００９５】
用紙搬送トレイ選択ボタン１７０は、ユーザによってどの給紙トレイを使って製本処理を実施するかが選択入力される。図４では、Ａトレイ３６ＡおよびＢトレイ３６Ｂの双方を使うことを示す「Ａ＋Ｂ」の文字が表示されている。なお、反転を要する用紙が含まれている場合は、用紙搬送トレイをＢトレイ３６Ｂのみとする選択を行うことができず、また、用紙加工処理を要する用紙が含まれている場合は、用紙搬送トレイをＡトレイ３６Ａのみとする選択を行うことはできない。
【００９６】
用紙ビュー表示トレイ選択ボタン１７２は、ユーザによってマウスを使ってクリックされることにより、Ａトレイ３６ＡおよびＢトレイ３６Ｂのどちらにセットすべき用紙群に含まれる用紙の外観を示す用紙ビューを用紙ビュー表示欄１５２に表示させるかの選択入力がされる。
【００９７】
ＰＣ１２は、ユーザーにより入力された、Ａトレイ３６ＡおよびＢトレイ３６Ｂのいずれかの選択入力を取得するトレイ選択取得部（図示せず）を有する。トレイ選択取得部は、用紙ビュー表示トレイ選択ボタン１７２がユーザによりクリックされＡトレイ３６ＡまたはＢトレイ３６Ｂが選択されることにより、ユーザにより選択されたトレイを示すセットトレイデータを取得する。
【００９８】
図４では、Ａトレイ３６Ａを示す「Ｕｐｐｅｒ（Ａ）」が表示されている。なお、用紙搬送トレイ選択ボタン１７０においてＡトレイ３６Ａのみが用紙搬送トレイとして選択されている場合、ユーザは用紙ビュー表示トレイ選択ボタン１７２によってＢトレイ３６Ｂを選択することはできず、Ｂトレイ３６Ｂのみが用紙搬送トレイとして選択されている場合、ユーザは用紙ビュー表示トレイ選択ボタン１７２によってＡトレイ３６Ａを選択することはできない。
【００９９】
反転指示チェックボックス１７４は、ユーザによってマウスを使ってクリックされることにより、用紙の反転の要否が入力される。ユーザは、反転指示チェックボックス１７４をチェックすることにより、そのときに用紙ビュー表示欄１５２に表示されている用紙ビューが示す用紙、すなわち用紙ビュー表示トレイ選択ボタン１７２に表示されるトレイにおいて積載順表示欄１７８に表示される表示順で積載されるべき用紙をスイッチバック反転機構４４によって反転させることを指定することができる。また、ユーザは、反転指示チェックボックス１７４のチェックを外すことにより、このときに用紙ビュー表示欄１５２に表示されている用紙ビューが示す用紙を反転させる指定を解除することができる。
【０１００】
ＰＣ１２は、ユーザーにより入力された用紙の反転の要否を示す反転要否データを取得する反転要否取得部（図示せず）を有する。反転要否取得部は、反転指示チェックボックス１７４がユーザにチェックされることにより、用紙ビュー表示欄１５２に表示されている用紙ビューが示す用紙の反転の要否を示す反転要否データを取得する。
【０１０１】
用紙検知セットボタン１７６は、ユーザによってマウスを使ってクリックされることにより、用紙ビュー表示欄１５２に表示されている用紙ビューが示す用紙をＣＣＤセンサ４２によって撮像するか否かの指定入力がされる。
【０１０２】
積載順表示欄１７８は、用紙ビュー表示トレイ選択ボタン１７２で選択されたトレイに用紙群をセットしたときに、そのトレイに積載されるべき用紙の積載順を示す。図４では、用紙ビュー表示トレイであるＡトレイ３６Ａに積載されるべき用紙が２枚であり、用紙ビュー表示欄１５２に表示されている用紙ビュー１５４の最上位からの積載順が「１」であることを示す「１／２」の文字が表示されている。ユーザは、積載順選択ボタン１８０をクリックすることにより、用紙ビュー表示欄１５２に用紙ビュー１５４を表示させる用紙の積載順を指定することができる。
【０１０３】
ＰＣ１２には、ユーザーにより入力された、トレイへの積載順を示す積載順データを取得する積載順取得部（図示せず）が設けられている。積載順取得部は、積載順選択ボタン１８０がユーザにクリックされることにより入力された積載順の積載順データを取得する。
【０１０４】
表示制御部１１６は、用紙ビュー表示トレイ選択ボタン１７２によって選択されたトレイを示すセットトレイデータ、および積載順選択ボタン１８０によって選択された積載順を示す積載順データの双方に対応付けられた用紙ビューデータのうち、トレイに積載されるときに上面となるべき用紙面を示す用紙ビューデータを取得する。表示制御部１１６は、取得した用紙ビューデータを用いて用紙ビュー１５４を用紙ビュー表示欄１５２に表示させる。
【０１０５】
こうしてトレイ画面１５０には、用紙ビュー表示トレイ選択ボタン１７２に表示されたトレイにおいて積載順表示欄１７８に表示された積載順に積載されるべき用紙の上面外観を示す用紙ビュー１５４が表示される。ユーザは、積載順表示欄１７８に表示された積載順の用紙の上面の実際の外観が、用紙ビュー１５４と同様か否かを判断することにより、用紙群に用紙が適切に積載されているかを容易に判断することが可能となる。図４より、この例では、Ａトレイ３６Ａにセットすべき用紙群のうち、積載順が「１」、すなわち最上位の用紙の上面は、右側に「Ａ」の文字が、左側に「Ｂ」の文字が表されたものとなることが分かる。なお、この用紙の下面には右側に「Ｃ」の文字が、左側に「Ｄ」の文字が表されているものとする。
【０１０６】
また、表示制御部１１６は、記憶部１１８に格納された用紙向きデータを利用して、トレイに用紙群をセットするときに、積載順選択ボタン１８０によって選択された積載順の用紙が向くべき方向を判定する。表示制御部１１６は、その判定結果に基づいて、積載順選択ボタン１８０によって選択された積載順の用紙ビュー１５４を、トレイに用紙群をセットするときにその用紙が向くべき方向に向かせて用紙ビュー表示欄１５２に表示させる。ユーザは、用紙群に含まれる用紙のうち積載順表示欄１７８に表示される積載順の用紙の実際の向きと、用紙ビュー１５４の向きとを比較することにより、用紙群に用紙が適切な方向に積載されているかを容易に判断することが可能となる。
【０１０７】
なお、表示制御部１１６は、用紙ビューデータに対応付けられた表裏データを利用して、表面と裏面のどちらが上面となるかを判定する。第１の実施形態に係る製本システム１０Ａでは、綴じ機構５７や折り機構５９では表紙は上方向に向く。このため表示制御部１１６は、反転指示チェックボックス１７４がチェックされているか否かを判定し、反転指示チェックボックス１７４がチェックされておらず反転が指定されていない場合、表面が上面になると判定し、反転指示チェックボックス１７４がチェックされており反転が指定されている場合、裏面が上面になると判定する。この例では、反転指示チェックボックス１７４がチェックされ反転が指定された場合、表示制御部１１６は、この用紙の裏面の用紙ビュー１５４を用紙ビュー表示欄１５２に表示させる。したがって、この場合、右側に「Ｃ」の文字が、左側に「Ｄ」の文字が表された用紙ビュー１５４が表示される。
【０１０８】
図５は、図４の状態から積載順選択ボタン１８０を使って別の積載順の用紙を指定したときの用紙ビューを示す図である。図５では、積載順表示欄１７８には「２／２」の文字が表されている。このため、用紙ビュー表示欄１５２には、Ａトレイ３６Ａに積載すべき２枚の用紙群に含まれる、積載順が「２」の用紙の上面の外観が示されている。製本作業者は、図４に示される用紙および図５に示される用紙を重ね合わせたものを一組として、少なくとも作成する冊子の部数と同数の組の用紙が順次積載された状態の用紙群を、Ａトレイ３６Ａに積載する。
【０１０９】
この例では、Ａトレイ３６Ａにセットすべき用紙群のうち、積載順が「１」、すなわち最上位の用紙の上面は、右側に「Ｅ」の文字が、左側に「Ｆ」の文字が表されたものとなることが分かる。なお、この用紙の下面には右側に「Ｇ」の文字が、左側に「Ｈ」の文字が表されているものとする。
【０１１０】
図６は、図４の状態から用紙ビュー表示トレイ選択ボタン１７２を使って別のトレイであるＢトレイ３６Ｂを選択したときの用紙ビューを示す図である。図６では、積載順表示欄１７８には「１／１」の文字が表されている。このため、用紙ビュー表示欄１５２には、Ｂトレイ３６Ｂに積載すべき１枚の用紙の上面の外観が示されている。製本作業者は、図６に示される用紙が少なくとも作成する冊子の部数と同数積載された状態の用紙群を、Ｂトレイ３６Ｂに積載する。
【０１１１】
この例では、Ｂトレイ３６Ｂにセットすべき用紙の上面は、右側に「Ｉ」の文字が、左側に「Ｊ」の文字が表されたものとなることが分かる。なお、この用紙の下面には右側に「Ｋ」の文字が、左側に「Ｌ」の文字が表されているものとする。
【０１１２】
図３に戻る。ディスプレイ１４に用紙ビューが表示されると、製本作業者は、その用紙ビューを確認しながら用紙ビュー表示トレイ選択ボタン１７２に表示されたトレイに用紙群をセットする（Ｓ１６）。トレイに用紙群をセットすると、製本作業者は、完成品プレビューであるブックレットプレビューを画面に表示させる（Ｓ１８）。以下、図７および図８に関連して、このブックレットプレビューについて詳細に説明する。
【０１１３】
図７は、ディスプレイ１４にブックレットプレビューを表示させた状態を示す図である。表示制御部１１６は、ユーザによりブックレットタブ１６６がクリックされると、ブックレット画面１９０を基本画面１４８内に表示させる。
【０１１４】
ブックレット画面１９０は、ブックレット表示欄１９１、見開き順表示欄１９４、および見開き順選択ボタン１９６を有する。ブックレット表示欄１９１にはブックレットプレビュー１９２が表示される。ブックレット表示欄１９１には縦方向および横方向に目盛りが表示される。これにより、ユーザはブックレットのサイズを確認することができる。
【０１１５】
見開き順表示欄１９４は、作成された冊子であるブックレットの表紙を「１」とし、以降１枚ページがめくられる毎に１ずつ加算される値である見開き順を示す。見開き順選択ボタン１９６は、ユーザによりクリックされることにより、この見開き順が選択入力される。したがって、マウスおよび見開き順選択ボタン１９６は、ユーザによって見開き順が入力される見開き順入力手段として機能する。図７では、見開き順表示欄１９４に「１」が表示されていることから、見開き順が「１」、すなわちブックレットの表紙を表していることが分かる。
【０１１６】
表示制御部１１６は、見開き順選択ボタン１９６によって選択された見開き順の用紙ビュー１５４を、ジョブデータに含まれる用紙ビューデータを利用して取得し、ブックレット表示欄１９１に表示させる。この例では、作成されたブックレットの表紙は、「Ｉ」の文字が表されたものになることが分かる。
【０１１７】
図８は、図７の状態から見開き順選択ボタン１９６を使って別の見開き順を指定したときのブックレットプレビューを示す図である。図８では、見開き順表示欄１９４に「２」が表示されていることから、ブックレットの表紙をめくった見開き順を表していることが分かる。表紙と背表紙以外の見開き順では、図８に示すようにブックレットプレビュー１９２は左右２つのページにより構成される。この例では、作成されたブックレットの見開き順「２」は、右ページに「Ｇ」が表示され、左ページに「Ｌ」が表示されたものとなることが分かる。
【０１１８】
図３に戻る。ブックレットプレビューを表示することによって、現状のジョブデータ通りに製本処理を施すと、たとえば周縁部の切り落としサイズが足りず、周縁部に余白が残ってしまうなど、適切なブックレットを作成することができないことが判明する場合がある。このような場合、製本作業者は、ジョブデータを適切なブックレットを作成することができるようジョブデータを修正する必要がある。
【０１１９】
このため、製本作業者は、ブックレットプレビューを表示させて現状のジョブデータ通りに製本処理を実施して適切なブックレットを作成することができるか否かを判断することにより、ジョブデータに修正が必要か否かを判断する（Ｓ２０）。修正が必要ない場合（Ｓ２０のＮ）、製本作業者は、Ｓ２２およびＳ２４の処理をスキップする。
【０１２０】
ジョブデータを修正する必要がある場合（Ｓ２０のＹ）、製本作業者は、ジョブデータを修正する（Ｓ２２）。なお、表示制御部１１６は、ジョブデータを修正するための所定の操作がＰＣ１２になされた場合、ユーザＩＤの入力をユーザに促すユーザＩＤ入力画面をディスプレイ１４に表示させる。ジョブ管理部１０８は、入力されたユーザＩＤが、ジョブデータの修正が認められたユーザのユーザＩＤか否かを判定し、ジョブデータの修正が認められたユーザのユーザＩＤである場合にジョブデータの修正を可能とする。これにより、ジョブデータの修正が無秩序に行われることを回避することができる。
【０１２１】
ジョブデータを修正すると、製本作業者は、修正ジョブデータを中央管理サーバ８０に送信する（Ｓ２４）。中央管理サーバ８０の受信部８６は修正ジョブデータを受信し、記憶部９０は受信した修正ジョブデータを格納する（Ｓ３０）。こうして製本管理者は、記憶部９０に格納された修正ジョブデータを確認することにより、ジョブデータに修正が加えられたことを知ることができる。
【０１２２】
中央管理サーバ８０に修正ジョブデータが送信された場合、製本管理者は、そのジョブデータの修正を承認するかを判断する。製本管理者が中央管理サーバ８０にジョブデータの修正を承認する所定の入力を行うことにより、送信部８４は、修正ジョブデータによる製本処理の実施を承認する承認データをＰＣ１２に送信する。ＰＣ１２の受信部１０４は送信された承認データを受信し、ジョブ管理部１０８は、受信した承認データを、承認された修正ジョブデータと対応づけて記憶部１１８に格納する。
【０１２３】
ジョブデータが適正であることを確認すると、製本作業者は、基本画面１４８のスタートボタン１８２を押して製本システム１０Ａによる製本処理を開始する（Ｓ２６）。製本処理実行部１０６は、製本処理の実施が指示されたジョブデータが修正されたものである場合、その修正ジョブデータに対応する承認データが記憶部１１８に格納されているか否かを判定する。承認データがない場合、製本処理実行部１０６は、製本処理を開始する旨のデータをメイン制御部２６に送信せず、製本処理を開始させない。これにより、中央管理サーバ８０により製本処理を管理する製本管理者がジョブデータが修正されたことを認識することなく製本処理が実施されることを回避することができる。
【０１２４】
製本処理を開始することができると判定した場合、製本処理実行部１０６は、送信部１０２を使って製本処理を開始する旨を示すデータと製本処理の対象となるジョブデータをメイン制御部２６へ送信する。このときメイン制御部２６は、受信したジョブデータに含まれる切り落とし要否データが切り落とし処理を要することを示すものである場合、用紙加工制御部３０にジョブデータに含まれる切り落としサイズデータを送信する。用紙加工制御部３０は、受信した切り落としサイズデータを利用して両端切り落としスリッタ４８の位置や前後端切り落としカッター５０による切り落としタイミングを制御する。こうして周縁部切り落とし機構４６は、用紙加工装置１８に送り込まれた用紙に対し要求されたサイズの切り落とし処理を施す。
【０１２５】
また、メイン制御部２６は、受信したジョブデータに含まれる折り目付け要否データが折り目付け処理を要することを示す場合、用紙加工制御部３０にジョブデータに含まれる折り位置データを送信する。用紙加工制御部３０は、受信した折り目付け位置データを利用して折り目付け機構５２による折り目付けタイミングを制御する。こうして折り目付け機構５２は、用紙加工装置１８に送り込まれた用紙に対し要求された位置に折り目付け処理を施す。
【０１２６】
また、メイン制御部２６は、受信したジョブデータに含まれる綴じ要否データが綴じ処理を要することを示す場合、中綴じ折り制御部３２にジョブデータに含まれる綴じ位置データを送信する。中綴じ折り制御部３２は、受信した綴じ位置データを利用して綴じストッパ５８の位置やステッチャ５６による綴じ位置を制御する。こうして綴じ機構５７は、中綴じ折り装置２０に送り込まれた用紙に対し要求された位置に綴じ処理を施す。
【０１２７】
また、メイン制御部２６は、受信したジョブデータに含まれる折り要否データが折り処理を要することを示す場合、中綴じ折り制御部３２にジョブデータに含まれる折り位置データを送信する。中綴じ折り制御部３２は、受信した折り位置データを利用して、中綴じ折り装置２０に送り込まれた用紙に折り処理を施す。
【０１２８】
また、メイン制御部２６は、受信したジョブデータに含まれる小口断裁要否データが小口断裁処理を要することを示す場合、小口断裁制御部３４にジョブデータに含まれる小口断裁位置データを送信する。小口断裁制御部３４は、受信した小口断裁位置データを利用して小口断裁ストッパ７４の位置を制御する。こうして小口断裁装置２２は、送り込まれた用紙に対し要求された位置に小口断裁処理を施す。
【０１２９】
例えば周縁部切り落とし機構４６による切り落とし処理、または折り目付け機構５２による折り目付け処理を施す用紙と施さない用紙が交互に用紙加工装置１８に送り込まれる場合がある。このためメイン制御部２６は、メイン制御部２６は、メイン搬送路４５に搬送するかバイパス搬送路５３に搬送するかの切り換えを指示するデータを用紙加工制御部３０に送信することなどにより、所定の処理を要する用紙と要しない用紙とが１冊の冊子を作成するにあたって混在する場合に対応している。
【０１３０】
また、給紙制御部２８は、Ａトレイ３６ＡまたはＢトレイ３６Ｂから用紙が送り出される毎に、最上位に積載されている用紙を撮像するようＣＣＤセンサ４２を制御する。給紙制御部２８は、得られた撮像データをＰＣ１２に送信する。
【０１３１】
ＰＣ１２の積載適否判定部１１２は、ジョブデータを利用して、ＣＣＤセンサ４２による撮像時にトレイの最上位に積載されているべき用紙の用紙ビューデータを特定する。積載適否判定部１１２は、給紙装置１６から送信された撮像データと、その撮像データが撮像されたタイミングでトレイの最上位に積載されているべき用紙の用紙ビューデータとを比較し、撮像データが示す画像が、最上位に積載されているべき用紙に表された画像と同様か否かを判定することにより、最上位に適切な用紙が適切な用紙向きおよび表裏で積載されているかを判定する。撮像データと用紙ビューデータとを比較する技術は公知であるため説明を省略する。
【０１３２】
最上位に適切な用紙が適切な用紙向きおよび表裏で積載されていないと判定された場合、表示制御部１１６は、例えば「Ａトレイ３６Ａの最上位に積載された用紙は、間違った用紙であるか、用紙向きまたは表裏が適切でありません。」などのメッセージをディスプレイ１４に表示させる。このため、表示制御部１１６およびディスプレイ１４は、トレイに適切に用紙が積載されていない場合にその旨を表示してユーザに報知する報知手段としても機能する。
【０１３３】
製本処理実行部１０６は、最上位に適切な用紙が適切な用紙向きおよび表裏で積載されていないと判定された場合、製本処理を停止させる指令データを給紙制御部２８、用紙加工制御部３０、中綴じ折り制御部３２、および小口断裁制御部３４に送信して、製本処理の各工程における処理を中止させる。これにより、適切に積載されていない用紙を使って適切でない冊子が作成することを回避することができる。また、ユーザはどちらのトレイの最上位にある用紙が適切に積載されていないかをディスプレイ１４の表示により確認することができ、迅速に対応することが可能となる。
【０１３４】
また、ジョブ管理部１０８は、製本処理を実施している間、所定時間毎に、作成すべき残りの冊子数に基づいて、その製本処理の処理終了予想時間を算出する。ジョブ管理部１０８は、算出した処理終了予想時間を示す処理終了予想時間データを、送信部１０２を使って中央管理サーバ８０に送信する。また、ジョブ管理部１０８は、製本処理の実施中にジャムや故障が製本システムに発生した場合は、それらのトラブルを示すトラブルデータを送信部１０２を使って中央管理サーバ８０に送信する。中央管理サーバ８０の受信部８６は送信された処理終了予想時間データやトラブルデータを受信し、記憶部９０は受信したそれらのデータを格納する。
【０１３５】
表示制御部８８は、受信した処理終了予想時間データを利用して、例えば「現在実施している製本処理が終了するまでにあと約○○分かかります。」または「現在実施している製本処理の終了は○時○分ごろになります。」などのメッセージをディスプレイ１４に表示させる。また、表示制御部８８は、受信したトラブルデータを利用して、例えば「製本システム１０Ａにおいてジャムが発生しました。」などのメッセージをディスプレイ１４に表示させる。これにより製本管理者は、各々の製本システムでの製本処理の進捗状況やトラブルなどを的確に把握することができ、必要に応じて他の製本システムにその製本処理を移行させるなどの対応を迅速にとることができる。
【０１３６】
作成すべき全ての冊子の製本処理が終了する、またはユーザによりストップボタン１８４がクリックされると、製本処理実行部１０６は、メイン制御部２６を介して給紙制御部２８、用紙加工制御部３０、中綴じ折り制御部３２、および小口断裁制御部３４に製本処理を停止する指令データを送信し、製本処理を終了させる（Ｓ２８）。
【０１３７】
（第２の実施形態）
図９は、第２の実施形態に係る製本管理システム１００Ｂの模式的な全体構成図である。なお、製本管理システム１００Ｂの構成および製本作業の手順は、とくに言及しない限り第１の実施形態に係る製本管理システム１００Ａと同様である。以下、製本管理システム１００Ｂと同様の箇所については同様の符号を付して説明を省略する。
【０１３８】
製本管理システム１００Ｂは、製本システム１０Ｂおよび中央管理サーバ８０を備える。製本システム１０Ｂは、ＰＣ１２、丁合装置１２２、中綴じ折り装置２０、および小口断裁装置２２を有する。
【０１３９】
丁合装置１２２は、Ａトレイ１２４Ａ〜Ｈトレイ１２４Ｈ（以下、必要に応じて「トレイ」と総称する。）の８つのトレイを有する。これら８つのトレイの各々には、分離給送機構１２６およびＣＣＤセンサ１２８が対応して設けられている。分離給送機構１２６およびＣＣＤセンサ１２８は、第１の実施形態に係る分離給送機構４０およびＣＣＤセンサ４２と同様であることから説明を省略する。
【０１４０】
丁合装置１２２は、内部に丁合制御部１２０を有する。丁合制御部１２０は、分離給送機構１２６やＣＣＤセンサ１２８、および各々がＡトレイ１２４Ａ〜Ｈトレイ１２４Ｈの各々を昇降させる複数のモータ（図示せず）の作動を制御することにより、Ａトレイ１２４Ａ〜Ｈトレイ１２４Ｈの各々の昇降を制御する。丁合装置１２２は、Ａトレイ１２４Ａ〜Ｈトレイ１２４Ｈのうち、所定の複数のトレイの各々から１枚ずつ送り出された用紙を順次重ね合わせて丁合し、作成した用紙束を中綴じ折り装置２０に送り出す。中綴じ折り装置２０は、丁合装置１２２から送り込まれた用紙束に綴じ処理または折り処理を施す。
【０１４１】
第２の実施形態では、図４〜図６に示す基本画面１４８の用紙ビュー表示トレイ選択ボタン１７２をクリックすることにより、ユーザはＡトレイ１２４Ａ〜Ｈトレイ１２４Ｈのうちいずれかのトレイを選択することが可能となっている。表示制御部１１６は、ユーザにより用紙ビュー表示トレイ選択されたトレイに積載されるべき用紙の上面の用紙ビューを、用紙ビュー表示欄１５２に表示させる。
【０１４２】
用紙を丁合して用紙束として製本する製本システムでは、多くのトレイが設けられる場合がある。このようにユーザにより選択されたトレイに積載されるべき用紙の上面の用紙ビューを表示することにより、ユーザは、これから用紙を積載しようとするトレイに積載すべき用紙を容易に把握することができ、複数のトレイの各々に適切な用紙を積載するユーザの監視負担を軽減することができる。
【０１４３】
第２の実施形態においても、トレイ画面に用紙ビュー表示トレイ選択ボタンが表示され、ユーザはこの用紙ビュー表示トレイ選択ボタンをクリックすることによりＡトレイ１２４ＡからＨトレイ１２４Ｈのいずれかのトレイを選択することができる。ＰＣ１２は、ユーザーにより入力された、Ａトレイ１２４ＡからＨトレイ１２４Ｈのいずれかのトレイの選択入力を取得するトレイ選択取得部（図示せず）を有する。トレイ選択取得部は、用紙ビュー表示トレイ選択ボタンがユーザによりクリックされＡトレイ１２４ＡからＨトレイ１２４Ｈのいずれかのトレイが選択されることにより、ユーザにより選択されたトレイを示すセットトレイデータを取得する。
【０１４４】
表示制御部１１６は、取得されたセットトレイデータを利用してユーザにより選択されたトレイを特定し、ユーザにより選択されたトレイに積載されるべき用紙の用紙ビューを、例えば「Ａトレイ」など、ユーザにより選択されたトレイを特定する名称と共にディスプレイ１４に表示させる。こうして、ユーザにより選択されたトレイに積載されるべき用紙の用紙ビュー、そのトレイに積載されるべき用紙であることを示すようにディスプレイに表示させることにより、ユーザは複数のトレイのうちどのトレイにどのような画像が形成された用紙を積載すべきかを容易に把握することができる。
【０１４５】
また、給紙制御部２８は、Ａトレイ１２４Ａ〜Ｈトレイ１２４Ｈの各々から用紙が送り出される毎に、最上位に積載されている用紙を撮像するようＣＣＤセンサ１２８の各々を制御する。丁合制御部１２０は、得られた撮像データをＰＣ１２に送信する。
【０１４６】
ＰＣ１２の積載適否判定部１１２は、ジョブデータを利用して、ＣＣＤセンサ１２８による撮像時にトレイの最上位に積載されているべき用紙の用紙ビューデータを特定する。積載適否判定部１１２は、丁合装置１２２から送信された撮像データと、撮像された用紙が積載されたトレイに積載されているべき用紙の用紙ビューデータとを比較し、撮像データが示す画像が、撮像された用紙が積載されたトレイに積載されているべき用紙に表された画像と同様か否かを判定することにより、そのトレイに適切な用紙が適切な用紙向きおよび表裏で積載されているかを判定する。撮像データと用紙ビューデータとを比較する技術は公知であるため説明を省略する。
【０１４７】
そのトレイに適切な用紙が適切な用紙向きおよび表裏で積載されていないと判定された場合、表示制御部１１６は、例えば「Ａトレイ１２４Ａに積載された用紙は、間違った用紙であるか、用紙向きまたは表裏が適切でありません。」などのメッセージをディスプレイ１４に表示させる。
【０１４８】
製本処理実行部１０６は、トレイに適切な用紙が適切な用紙向きおよび表裏で積載されていないと判定された場合、製本処理を停止させる指令データを丁合装置１２２、中綴じ折り制御部３２、および小口断裁制御部３４に送信して、製本処理の各工程における処理を中止させる。
【０１４９】
本発明は上述の各実施形態に限定されるものではなく、各実施形態の各要素を適宜組み合わせたものも、本発明の実施形態として有効である。また、当業者の知識に基づいて各種の設計変更等の変形を各実施形態に対して加えることも可能であり、そのような変形が加えられた実施形態も本発明の範囲に含まれうる。以下、そうした例をあげる。
【０１５０】
第１の実施形態のある変形例では、記憶部１１８は、トレイに積載されるべき用紙のうち最上位に積載される用紙の用紙ビューの表示に用いられる用紙ビューデータを格納する。表示制御部１１６は、格納された用紙ビューデータを利用して、あるジョブデータに係る冊子を作成する製本処理を実施するためにトレイに積載される用紙のうち最上位に積載されるべき用紙の用紙ビューを、その用紙がトレイに積載される最上位の用紙であることを示すようディスプレイ１４に表示させる。このように最上位の用紙の用紙ビューをディスプレイ１４に表示させることにより、ユーザはどの用紙群をどのトレイにセットすべきかを容易に理解することが可能となる。
【０１５１】
第１の実施形態のある別の変形例では、中央管理サーバ８０は、ジョブデータに製本処理を実施するときにトレイに積載されるべき用紙のサイズを示す用紙サイズデータを含めて製本システム１０ＡのＰＣ１２にジョブデータを送信する。積載トレイ判定部１１４は、受信したジョブデータに含まれる用紙サイズデータを利用して、ジョブデータが作成を要求する冊子を作成するために必要とされる用紙に周縁部の切り落とし処理を要するか否かを判定する。積載トレイ判定部１１４は、切り落とし処理を要する用紙をＢトレイ３６Ｂに積載すべき用紙として、Ｂトレイ３６Ｂを示す積載トレイデータをその用紙の用紙ビューデータに対応付けて記憶部１１８に格納する。表示制御部１１６は、ユーザにより用紙ビュー表示トレイ選択ボタン１７２がクリックされＢトレイ３６Ｂが選択されたとき、切り落とし処理を要する用紙の用紙ビューをディスプレイ１４に表示させる。
【０１５２】
上述したように、製本システム１０Ａまたは製本システム１０Ｂでは、Ｂトレイ３６Ｂから送り出された用紙には周縁部の切り落とし処理を施すことが可能だが、Ａトレイ３６Ａから送り出された用紙には周縁部の切り落とし処理を施すことができない。このため、周縁部の切り落とし処理を要する用紙はＢトレイ３６Ｂに積載する必要がある。このようにジョブデータに含まれる用紙サイズデータを利用して用紙加工装置１８による切り落とし処理が必要か否かを判定することにより、そのジョブデータを用いて製本処理を実施するために、どちらのトレイにどの用紙を積載すべきかを特定することができる。これによって、切り落とし処理を要する用紙が切り落とし処理が施されない用紙が積載されるＡトレイ３６Ａに積載されることを抑制することができる。
【図面の簡単な説明】
【０１５３】
【図１】第１の実施形態に係る製本管理システムの模式的な全体構成図である。
【図２】第１の実施形態に係る製本管理システムの機能ブロック図である。
【図３】第１の実施形態に係る製本管理システムにおける製本工程を示すフローチャートである。
【図４】ディスプレイに用紙ビューを表示させた状態を示す図である。
【図５】図４の状態から積載順選択ボタンを使って別の積載順の用紙を指定したときの用紙ビューを示す図である。
【図６】図４の状態から用紙ビュー表示トレイ選択ボタンを使って別のトレイであるＢトレイを選択したときの用紙ビューを示す図である。
【図７】ディスプレイにブックレットプレビューを表示させた状態を示す図である。
【図８】図７の状態から見開き順選択ボタンを使って別の見開き順を指定したときのブックレットプレビューを示す図である。
【図９】第２の実施形態に係る製本管理システムの模式的な全体構成図である。
【符号の説明】
【０１５４】
１０Ａおよび１０Ｂ  製本システム、  １２  ＰＣ、  １４  ディスプレイ、  １６  給紙装置、  １８  用紙加工装置、  ２０  中綴じ折り装置、  ２２  小口断裁装置、  ２４  綴じ折りスタッカ、  ３６Ａ  Ａトレイ、  ３６Ｂ  Ｂトレイ、  ４０  分離給送機構、  ４２  ＣＣＤセンサ、  ４４  スイッチバック反転機構、  ４６  周縁部切り落とし機構、  ５２  折り目付け機構、  ５７  綴じ機構、  ５９  折り機構、  ８０  中央管理サーバ、  ８２  ディスプレイ、  １００Ａおよび１００Ｂ  製本管理システム、  １０６  製本処理実行部、  １０８  ジョブ管理部、  １１０  後処理情報取得部、  １１２  積載適否判定部、  １１４  積載トレイ判定部、  １１６  表示制御部、  １１８  記憶部。  
【図１】
2008195004.tif 000003
【図２】
2008195004.tif 000004
【図３】
2008195004.tif 000005
【図４】
2008195004.tif 000006
【図５】
2008195004.tif 000007
【図６】
2008195004.tif 000008
【図７】
2008195004.tif 000009
【図８】
2008195004.tif 000010
【図９】
2008195004.tif 000011